(57)【要約】【課題】本発明は、従来の芝生保護資材を用いて芝の生長を保持するための使用方法の提供にある。【解決手段】基盤上に敷設される下部枠と上部枠からなる植物保護資材にあって、下部枠は、下部踏圧部と下部透孔部から構成され、下部踏圧部は凸状に立上り、かつ互いに連結され、下部透孔部は下部踏圧部に囲まれた孔部であり、上部枠は、上部踏圧部と上部透孔部からなり、上部透孔部は上部透孔部に囲まれた孔部であり、上部枠と下部枠を互いに接続する接続部がその接続時に上部枠と下部枠との間に隙間が生ずるよう構成され、下部枠には互いに連結可能な連結部が設けられ、かつ上部枠を下部枠と接続するとき上部透孔部の少なくとも一部は下部透孔部と上下に貫通し、上部踏圧部の少なくとも一部は下部踏圧部と対応する位置にある植物保護資材である。【選択図】図３
2009045045.tif 000002
【特許請求の範囲】
【請求項１】
基盤上に敷設される下部枠と上部枠からなる植物保護資材にあって、下部枠は、下部踏圧部と下部透孔部から構成され、下部踏圧部は凸状に立上り、かつ互いに連結され、下部透孔部は下部踏圧部に囲まれた孔部であり、上部枠は、上部踏圧部と上部透孔部からなり、上部透孔部は上部透孔部に囲まれた孔部であり、上部枠と下部枠を互いに接続する接続部がその接続時に上部枠と下部枠との間に隙間が生ずるよう構成され、下部枠には互いに連結可能な連結部が設けられ、かつ上部枠を下部枠と接続するとき上部透孔部の少なくとも一部は下部透孔部と上下に貫通し、上部踏圧部の少なくとも一部は下部踏圧部と対応する位置にある植物保護資材。
【請求項２】
基盤上に敷設される下部枠と上部枠からなる植物保護資材にあって、下部枠は、下部踏圧部と下部透孔部から構成され、下部踏圧部は凸状に立上り、かつ互いに連結され、下部透孔部は下部踏圧部に囲まれた孔部であり、上部枠は、上部踏圧部と上部透孔部からなり、上部透孔部は上部透孔部に囲まれた孔部であり、上部枠と下部枠を互いに接続する接続部がその接続時に上部枠と下部枠との距離が異なるよう形成された接続部であり、下部枠には互いに連結可能な連結部が設けられ、かつ上部枠を下部枠と接続するとき上部透孔部の少なくとも一部は下部透孔部と上下に貫通し、上部踏圧部の少なくとも一部は下部踏圧部と対応する位置にある植物保護資材。
【発明の詳細な説明】
【技術分野】
【０００１】
本発明は、芝生等の植物を保護・育成する技術に属する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立入る人の、あるいは車の踏圧から植物を保護するための図４に示すような踏圧部と透孔部からなる植物保護資材（特開平2-145137、特開平4-75541）等が各種提案され使用されている。
さらにこれら芝生保護盤を用いた際に人の踏圧を和らげるため、芝生保護盤上に更に平坦な上部枠を設置し、上部枠で人の足との接触部の面積を大きくし踏圧部からの反力を軽減する植物保護資材が特開平5-56724に開示されている。
従来の芝生保護資材を用いて芝生の生長を保持するための使用方法の提案はなかった。
【０００３】
【特許文献１】特開平2-145137
【特許文献２】特開平4-75541
【特許文献３】特開平5-56724
【発明の開示】
【発明が解決しようとする課題】
【０００４】
本発明は、従来の芝生保護資材を用いて芝生の保護・育成する技術の提案にある。
【課題を解決するための手段】
【０００５】
本第１の発明は、基盤上に敷設される下部枠と上部枠からなる植物保護資材にあって、下部枠は、下部踏圧部と下部透孔部から構成され、下部踏圧部は凸状に立上り、かつ互いに連結され、下部透孔部は下部踏圧部に囲まれた孔部であり、上部枠は、上部踏圧部と上部透孔部からなり、上部透孔部は上部透孔部に囲まれた孔部であり、上部枠と下部枠を互いに接続する接続部がその接続時に上部枠と下部枠との間に隙間が生ずるよう構成され、下部枠には互いに連結可能な連結部が設けられ、かつ上部枠を下部枠と接続するとき上部透孔部の少なくとも一部は下部透孔部と上下に貫通し、上部踏圧部の少なくとも一部は下部踏圧部と対応する位置にある植物保護資材である。植物が十分生長できるよう下部枠と上部枠との間に隙間を設けた。
本第２の発明は、基盤上に敷設される下部枠と上部枠からなる植物保護資材にあって、下部枠は、下部踏圧部と下部透孔部から構成され、下部踏圧部は凸状に立上り、かつ互いに連結され、下部透孔部は下部踏圧部に囲まれた孔部であり、上部枠は、上部踏圧部と上部透孔部からなり、上部透孔部は上部透孔部に囲まれた孔部であり、上部枠と下部枠を互いに接続する接続部がその接続時に上部枠と下部枠との距離が異なるように形成された接続部であり、下部枠には互いに連結可能な連結部が設けられ、かつ上部枠を下部枠と接続するとき上部透孔部の少なくとも一部は下部透孔部と上下に貫通し、上部踏圧部の少なくとも一部は下部踏圧部と対応する位置にある植物保護資材である。芝が十分生長したとき、更に成長させるため接続部の位置を換え、下部枠と上部枠の距離を長いほうに換えられるようにした。
【発明の効果】
【０００６】
本第1の発明は、下部枠と上部枠を結ぶ接続部の距離を長くして、下部枠と上部枠との間に隙間を設けたため、植物の成長する空間が大きく取れ丈夫に育つ。本第2の発明は、下部枠と上部枠の上下の接続を相互間の距離が変えられるよう異なる接続部を設けたため、植物の成長が所定以上に進んだ時、接続部の距離を長いほうに換え、更に成長させることができる。
【発明を実施するための最良の形態】
【０００７】
以下本発明を図により詳細に説明する。
図１は、上部枠の平面および断面、図２は、下部枠の平面および断面を示す。
図１に示した上部枠は、格子状でその交点が踏圧部となる。格子の内部は芝等の植物が延伸する場所であるとともに雨水が地中に浸透する場所となっている。交点の下部には、下部枠と接続するための接続継手が設けられている。接続継手は格子の交点から垂下する棒状の距離保持部とその先端に設けられた接続具からなる。接続具は図では十字の板状に形成されている。
上部枠同士を連結するための雄雌の連結具が相接する側面にそれぞれ設けられている。本連結具は施工の都合により省略してもよい。
【０００８】
図２に示す下部枠は突状の踏圧部をその下部で梁により接続され、踏圧部で囲まれた空間は透水部を形成し、土壌が充填され芝等の植物が育成する場所となるとともに雨水等が地中に浸透する場所となっている。
踏圧部の頂部には上部枠の接続具が係合する十字の溝が設けられている。
下部枠には互いに連結可能とするための雄雌の連結具がそれぞれ相接する側面に設けられている。
【０００９】
図３は、本発明を構成する植物保護資材を示す断面概念図である。
本発明は、図１、図2に示す上部枠と下部枠を接続したものである。
図に示されるとおり、上部枠と下部枠とを接続した時それらの間に隙間が生じている。
【００１０】
芝生等の植生土壌は下部枠の頂部まで充填され転圧される。芝生は下部枠と上部枠との間の隙間で成長し、更に成長すれば上部枠の踏圧部上に延伸していく。上部枠を超えて生長した芝生は、踏圧により成長点が傷みその成長が阻害される。
下部枠と上部枠との間の隙間があるため、芝生はその隙間内で十分成長する。上枠を超えて成長した部分の成長点を傷めても、隙間内で十分成長するためまた上部枠を超えて成長していく。
【００１１】
図４は、本第2の発明を構成する上部枠の概念図である。下部枠は本第1の発明と共通である。
図４に示した上部枠は、格子状でその交点が踏圧部となる。格子の内部は芝等の植物が延伸する場所であるとともに雨水が地中に浸透する場所となっている。交点の下部には、下部枠と接続するための接続継手が設けられている点は第1の発明の上部枠と同じである。図では接続継手の距離保持部の長さが異なるものが示されている。接続具は第1の発明と同じ十字の板状に形成されている。
長短の距離保持部は上部枠の交点に平行に交互に設けられている。
【００１２】
図５ａは上部枠と下部枠との間隔が短い距離保持部を用いた時の状態を示している。図５ｂは距離保持部の長い状態を示している。芝生等が十分に成長しきらない状態の間は、図５ａに示す距離保持部の短い継手を使用し、芝が十分伸びてきたならば距離保持部の長い継手に切り替える。本願発明では継手の位置を交互に直線状に配置したため、上部枠と下部枠間の接続を解除し、距離保持部の長い継手に切り替える。その場合継手位置を一列分横にずらすことになる。
【００１３】
図６は上部枠に設けられた距離保持部の長さの異なる他の例を示す。
図に示すように上部枠の下方には距離保持部の長い継手が設けられ、上方に短い継手が設けられている。上記の例では距離保持部の交換は一列ずらすことでなされたが、この例では上下反転することでなされる。
【００１４】
成長が十分でない間は新芽が踏み圧で痛められることは芝生にとっては重大な損傷であるが、芝生が十分生長していれば一部の新芽が踏圧で痛めつけられてもその損傷は比較的軽いものとなる。
【００１５】
いずれの発明においても下部枠の踏圧部の頂部には上部枠の接続具が係合する十字の溝が設けられている。なお、上部枠と下部枠を接続するための接続部の形状は、十字の板状に限らず既存の接続手段が使用される。
下部枠には互いに連結可能とするための雄雌の連結具がそれぞれ相接する側面に設けられている。
【００１６】
本発明に使用される下部枠、上部枠は図に示したものに限らず、例えば踏圧部は４角筒、６角筒あるいは円筒とし、蜂の巣状に配列したものであってもよく、この場合透水部は各筒の中心となる。各筒の縁部が踏圧部を構成する。接続具は各筒の交点に設けられる。
【００１７】
雨水等が芝等の植物に供給されるよう、上部枠・下部枠の透水部は少なくともその一部が上下に貫通するように形成されていることが好ましい。
本芝生保護材は熱可塑性の樹脂を射出成形することで簡単に成形可能である。ポリオレフィンのポリプロピレンあるいはポリエチレン等の樹脂が使用できる。
【図面の簡単な説明】
【００１８】
【図１】本第1の発明を構成する植物保護資材の上部枠の概念図である。
【図２】本第１の発明を構成する植物保護資材の下部枠の概念図である。
【図３】本第１の発明を構成する植物保護資材の概念図である。
【図４】本第2の発明を構成する植物保護資材の上部枠の概念図である。
【図５】本第２の発明を構成する植物保護資材の概念図である。
【図６】本第２の発明を構成する他の植物保護資材の概念図である。
【図７】従来の植物保護資材の概念図である。
【符号の説明】
【００１９】
１  植物保護資材
２  上部枠
３  下部枠
４  上部枠踏圧部
５  上部枠透水部
６  下部枠踏圧部
７  下部枠透水部
８  接続部
９  距離支持部
１０  接続具
１１  連結部
【図１】
2009045045.tif 000003
【図２】
2009045045.tif 000004
【図３】
2009045045.tif 000005
【図４】
2009045045.tif 000006
【図５】
2009045045.tif 000007
【図６】
2009045045.tif 000008
【図７】
2009045045.tif 000009